(57)【要約】【課題】複数のインターフェースを備えた撮像装置において、インターフェースの切り替えを効率よく行ない、使い勝手のよい撮像装置を提供する。【解決手段】複数の外部機器を接続可能な撮像装置において、コネクタを共通化して小型化すると共に、接続状態を表示し、ユーザーが容易に撮像装置と外部機器を接続できるようにした。【選択図】図１
2009094663.tif 000002
【特許請求の範囲】
【請求項１】
光信号を電気信号に変換する撮像手段と、
該撮像手段の出力信号から記録用の第１の映像データを生成し、該撮像手段の出力信号または該第１の映像データから再生用の第２の映像データを生成する信号処理手段と、
該第１の映像データを記録媒体に記録し、また記録媒体に記録された該第１の映像データを再生する記録再生手段と、を備えた撮像装置において、
少なくとも該第１の映像データを出力すると共に、外部機器が出力するデータを入力するための第１のインターフェース手段と、
少なくとも該第２の映像データを出力する第２のインターフェース手段と、
該第１および第２の映像データを表示する表示手段と、
ユーザーが撮像装置の各種設定を行なうための操作手段と、
該操作手段の操作に応じ該信号処理手段、該表示手段、該第１および第２のインターフェース手段を制御する制御手段と、
該第１および第２のインターフェース手段を経由して撮像装置と外部機器とを接続するコネクタと、を備え、
該コネクタを外部機器に接続していないときに、ユーザーによる該操作手段の操作によってインターフェース選択画面を表示し、
ユーザーの選択に応じ、該制御手段によって該第１のまたは第２のインターフェース手段の一方を選択的に有効化するよう制御することを特徴とする撮像装置。
【請求項２】
光信号を電気信号に変換する撮像手段と、
該撮像手段の出力信号から記録用の第１の映像データを生成し、該撮像手段の出力信号または該第１の映像データから再生用の第２の映像データを生成する信号処理手段と、
該第１の映像データを記録媒体に記録し、また記録媒体に記録された該第１の映像データを再生する記録再生手段と、を備えた撮像装置において、
少なくとも該第１の映像データを出力すると共に、外部機器が出力するデータを入力するための第１のインターフェース手段と、
少なくとも該第２の映像データを出力する第２のインターフェース手段と、
該第１と第２のインターフェース手段の出力信号を選択して出力する選択手段と、
該信号処理手段、該選択手段を制御する制御手段と、
該第１および第２の映像データを表示する表示手段と、
ユーザーが撮像装置の各種設定を行なうための操作手段と、
該第１および第２のインターフェース手段を経由して撮像装置と外部機器とを接続する単一のコネクタと、を備え、
該コネクタを外部機器に接続していないときに、ユーザーによる該操作手段の操作によってインターフェース選択表示画面を表示し、
ユーザーの選択により、該選択手段によって、該第１のインターフェース手段と該第２のインターフェース手段とを切り換え可能としたことを特徴とする撮像装置。
【請求項３】
光信号を電気信号に変換する撮像手段と、
該撮像手段の出力信号から記録用の第１の映像データを生成し、該撮像手段の出力信号または該第１の映像データから再生用の第２の映像データを生成する信号処理手段と、
該第１の映像データを記録媒体に記録し、また記録媒体に記録された該第１の映像データを再生する記録再生手段と、を備えた撮像装置において、
少なくとも該第１の映像データを出力すると共に、外部機器が出力するデータを入力するための第１のインターフェース手段と、
少なくとも該第２の映像データを出力する第２のインターフェース手段と、
該信号処理手段、該選択手段を制御する制御手段と、
該第１および第２の映像データを表示する表示手段と、
撮像装置の各種機能を操作するための操作手段と、
該第１および第２のインターフェース手段を経由して撮像装置と外部機器とを接続するコネクタと、を備え、
該制御手段は、該コネクタに外部機器が接続されたときに、該第１、第２のいずれのインターフェースに対応するかを判定し、外部機器が接続されたインターフェースの動作を有効にするとともに、他方のインターフェースの動作を無効とするように制御することを特徴とする撮像装置。
【請求項４】
光信号を電気信号に変換する撮像手段と、
該撮像手段の出力信号から記録用の第１の映像データを生成し、該撮像手段の出力信号または該第１の映像データから再生用の第２の映像データを生成する信号処理手段と、
該第１の映像データを記録媒体に記録し、また記録媒体に記録された該第１の映像データを再生する記録再生手段と、を備えた撮像装置において、
少なくとも該第１の映像データを出力すると共に、外部機器が出力するデータを入力するための第１のインターフェース手段と、
少なくとも該第２の映像データを出力する第２のインターフェース手段と、
該第１と第２のインターフェース手段の出力信号を選択して出力する選択手段と、
該信号処理手段、該選択手段を制御する制御手段と、
該第１および第２の映像データを表示する表示手段と、
ユーザーが撮像装置の各種設定を行なうための操作手段と、
該第１および第２のインターフェース手段を経由して撮像装置と外部機器とを接続する単一のコネクタと、を備え、
該制御手段は、該コネクタに接続された外部機器が該第１、第２のいずれのＩＦに対応するかを判定し、該切り換え手段は対応するインターフェースに切り換えることを特徴とする撮像装置。
【請求項５】
光信号を電気信号に変換する撮像手段と、
該撮像手段の出力信号から記録用の第１の映像データを生成し、該撮像手段の出力信号または該第１の映像データから再生用の第２の映像データを生成する信号処理手段と、
該第１の映像データを記録媒体に記録し、また記録媒体に記録された該第１の映像データを再生する記録再生手段と、を備えた撮像装置において、
少なくとも該第１の映像データを出力すると共に、外部機器が出力するデータを入力するための第１のインターフェース手段と、
少なくとも該第２の映像データを出力する第２のインターフェース手段と、
該信号処理手段、該選択手段を制御する制御手段と、
該第１および第２の映像データを表示する表示手段と、
ユーザーが撮像装置の各種設定を行なうための操作手段と、
該第１および第２のインターフェース手段を経由して撮像装置と外部機器とを接続するコネクタと、を備え、
該コネクタに外部機器を接続していないときに、ユーザーによる該操作手段の操作によってインターフェース選択表示画面を表示し、
該第１のインターフェース手段と第２のインターフェース手段とのいずれを有効にするかを手動で切り換える第１のモードと、該コネクタに外部機器が接続されたときに該第１、第２のいずれのインターフェースに対応するかを判定し、外部機器が接続されたインターフェースの動作を有効にするとともに、他方のインターフェースの動作を無効とする第２のモードと、の２つのモードを切り替え可能としたこと、
を特徴とする撮像装置。
【請求項６】
光信号を電気信号に変換する撮像手段と、
該撮像手段の出力信号から記録用の第１の映像データを生成し、該撮像手段の出力信号または該第１の映像データから再生用の第２の映像データを生成する信号処理手段と、
該第１の映像データを記録媒体に記録し、また記録媒体に記録された該第１の映像データを再生する記録再生手段と、を備えた撮像装置において、
少なくとも該第１の映像データを出力すると共に、外部機器が出力するデータを入力するための第１のインターフェース手段と、
少なくとも該第２の映像データを出力する第２のインターフェース手段と、
該第１と第２のインターフェース手段の出力信号を選択して出力する選択手段と、
該信号処理手段、該選択手段を制御する制御手段と、
該第１および第２の映像データを表示する表示手段と、
ユーザーが撮像装置の各種設定を行なうための操作手段と、
該第１および第２のインターフェース手段を経由して撮像装置と外部機器とを接続する単一のコネクタと、を備え、
該コネクタに外部機器を接続していないときに、ユーザーによる該操作手段の操作によってインターフェース選択表示画面を表示し、
該第１のインターフェース手段と第２のインターフェース手段とを手動で切り換える第１のモードと、該制御手段が該コネクタに接続された外部機器が第１、第２のいずれのＩＦに対応するかを判定し、これに対応するよう該第１または第２に自動的に切り換える第２のモードとの２つのモードを切り替え可能としたこと、
を特徴とする撮像装置。
【請求項７】
請求項５または６に記載の撮像装置において、
該コネクタに接続されたケーブルを介して外部機器と接続されているときに、前記第１のモード、または第２のモードのうちのいずれのモードで接続されているかを表示するよう構成したこと、
を特徴とする撮像装置。
【請求項８】
光信号を電気信号に変換する撮像手段と、
該撮像手段の出力信号から記録用の第１の映像データを生成し、該撮像手段の出力信号または該第１の映像データから再生用の第２の映像データを生成する信号処理手段と、
該第１の映像データを記録媒体に記録し、また記録媒体に記録された該第１の映像データを再生する記録再生手段と、を備えた撮像装置において、
少なくとも該第１の映像データを出力すると共に、外部機器が出力するデータを入力するための第１のインターフェース手段と、
少なくとも該第２の映像データを出力する第２のインターフェース手段と、
該第１と第２のインターフェース手段の出力信号を選択して出力する選択手段と、
該信号処理手段、該選択手段を制御する制御手段と、
該第１および第２の映像データを表示する表示手段と、
ユーザーが撮像装置の各種設定を行なうための操作手段と、
該第１および第２のインターフェース手段を経由して撮像装置と外部機器とを接続する単一のコネクタと、を備え、
該コネクタに接続されたケーブルを介して外部機器と接続されているときに、外部機器から送信されるインターフェースの切り換え指示に基づき、該第１と第２のインターフェースモードの切り換えを行なうこと、
を特徴とする撮像装置。
【請求項９】
請求項１、２または５、６に記載の撮像装置において、
操作手段により第１、または第２のインターフェースモードに設定された状態で、設定されたインターフェースモードとは異なるインターフェースを備えた機器に接続されたときに、
該制御手段は接続機器のインターフェースモードを判定し、設定されたインターフェースモードと接続機器のインターフェースモードが異なる旨の表示を行なうこと、
を特徴とする撮像装置。
【請求項１０】
請求項９に記載の撮像装置において、表示手段に、インターフェースモードの変更を指示することを特徴とする撮像装置。
【発明の詳細な説明】
【技術分野】
【０００１】
本発明は、撮像装置に係わり、特に外部機器との複数のインターフェースを有する撮像装置に関するものである。
【背景技術】
【０００２】
テレビジョン等の映像機器における高解像度化が進み、従来のNTSC等テレビ方式に対し解像度を倍増したハイビジョンシステムの普及が進んでいる。これに対応して、撮像装置の高画素化が進み、ハイビジョン用の撮像装置が開発されている。このようなハイビジョン用の撮像装置は、ハイビジョンの動画撮像と共に、高解像度の静止画を撮像できるものが一般的である。
【０００３】
このような撮像装置は、外部機器とのインターフェースとして、圧縮したデジタル信号を外部機器と送受信するデジタルインターフェースが必要である。また、ハイビジョン信号をリアルタイムで出力するための高速デジタルインターフェースが必要である。
【０００４】
従来、このようなインターフェースとして、前者の例では例えばUSB（Universal Serial Buss）が知られている。USBは、例えば撮像装置とパソコンを接続し、圧縮画像データを入出力可能である。
【０００５】
また、後者のハイビジョン映像のリアルタイム伝送のためのインンターフェースとしては、例えばHDMIが知られている。HDMIインターフェースは、撮像装置と例えばハイビジョンモニタを接続し、リアルタイムで映像を送信するためのインターフェースとして利用することができる。
【０００６】
【特許文献１】特開２００４−３２２７８号公報
【特許文献２】特開２００５−３５４６３９号公報
【発明の開示】
【発明が解決しようとする課題】
【０００７】
このような撮像装置においては、上記の２種類のインターフェースが一般的であるが、一般ユーザーにとって、どのような場合にどのインターフェースを用いて外部機器を接続すればよいのかわかりにくく、使い勝手が悪いという問題があった。
また、これらのインターフェースは用途が異なるため必ずしも同時に使用する必要は無い。そこで撮像装置の小型化のためには、これら複数のインターフェースの出力端子を共通化する方法がある。この場合、接続する外部機器に応じてインターフェースの種類を切り換える必要がある。
前記文献には、複数のインターフェースモードを切り替える機能を持った撮像装置の技術について開示されているが、モードの切り替えは自動で行なうものであり、この際の切り替え操作や、画面表示による操作性の向上については考慮されていない。
【０００８】
本発明の目的は、上記の問題点を解決し、複数のインターフェースを備えた撮像装置において、インターフェースの切り替えを効率よく行ない、使い勝手のよい撮像装置を提供することにある。
【課題を解決するための手段】
【０００９】
上記課題を解決するため、本発明では、撮像装置において、少なくとも第１の映像データを出力すると共に、外部機器が出力するデータを入力するための第１のインターフェース手段と、少なくとも第２の映像データを出力する第２のインターフェース手段と、こえらのインターフェースを経由して外部機器を接続するコネクタを備え、外部機器に接続していないときに、インターフェース選択画面を表示し、ユーザーの操作によって該第１のまたは第２のインターフェース手段の一方を選択的に有効化するよう制御するように構成した。
また、本発明による他の撮像装置は、少なくとも第１の映像データを出力すると共に、外部機器が出力するデータを入力するための第１のインターフェース手段と、少なくとも第２の映像データを出力する第２のインターフェース手段と該第１と第２のインターフェース手段の出力信号を選択して出力する選択手段と外部機器を接続する単一のコネクタを備え、
該コネクタを外部機器に接続していないときに、インターフェース選択表示画面を表示し、ユーザーの操作により該第１のインターフェース手段と該第２のインターフェース手段とを切り換え可能とした。
【００１０】
また、本発明による他の撮像装置は、少なくとも該第１の映像データを出力すると共に、外部機器が出力するデータを入力するための第１のインターフェース手段と、少なくとも該第２の映像データを出力する第２のインターフェース手段と、こえらのインターフェースを経由して外部機器とを接続するコネクタと、を備え、
該制御手段は、該コネクタに外部機器が接続されたときに、該第１、第２のいずれのインターフェースに対応するかを判定し、外部機器が接続されたインターフェースの動作を有効にするとともに、他方のインターフェースの動作を無効とするように制御するように構成した。
【００１１】
また、本発明による他の撮像装置は、少なくとも該第１の映像データを出力すると共に、外部機器が出力するデータを入力するための第１のインターフェース手段と、少なくとも該第２の映像データを出力する第２のインターフェース手段と、該第１と第２のインターフェース手段の出力信号を選択して出力する選択手段と外部機器を接続する単一のコネクタを備え、コネクタに接続された外部機器が該第１、第２のいずれのインターフェースに対応するかを判定し、選択手段は対応するインターフェースに切り換えるよう構成した。
また、本発明による他の撮像装置は、少なくとも第１の映像データを出力すると共に、外部機器が出力するデータを入力するための第１のインターフェース手段と、少なくとも該第２の映像データを出力する第２のインターフェース手段と、該第１および第２のインターフェース手段を経由して撮像装置と外部機器とを接続するコネクタとを備え、該コネクタに外部機器を接続していないときに、ユーザーによる該操作手段の操作によってインターフェース選択表示画面を表示し、該第１のインターフェース手段と第２のインターフェース手段とのいずれを有効にするかを手動で切り換える第１のモードと、該コネクタに外部機器が接続されたときに該第１、第２のいずれのインターフェースに対応するかを判定し、外部機器が接続されたインターフェースの動作を有効にするとともに、他方のインターフェースの動作を無効とする第２のモードと、の２つのモードを切り替え可能とした。
また、本発明による他の撮像装置は、少なくとも第１の映像データを出力すると共に、外部機器が出力するデータを入力するための第１のインターフェース手段と、少なくとも該第２の映像データを出力する第２のインターフェース手段と、第１および第２のインターフェース手段を経由して撮像装置と外部機器とを接続する単一のコネクタとを備え、該コネクタに外部機器を接続していないときに、ユーザーによる該操作手段の操作によってインターフェース選択表示画面を表示し、該第１のインターフェース手段と第２のインターフェース手段とを手動で切り換える第１のモードと、該制御手段が該コネクタに接続された外部機器が第１、第２のいずれのＩＦに対応するかを判定し、これに対応するよう該第１または第２に自動的に切り換える第２のモードとの２つのモードを切り替え可能とした。
また、本発明による他の撮像装置は、少なくとも第１の映像データを出力すると共に、外部機器が出力するデータを入力するための第１のインターフェース手段と、少なくとも該第２の映像データを出力する第２のインターフェース手段と、第１および第２のインターフェース手段を経由して撮像装置と外部機器とを接続する単一のコネクタを備え、該コネクタに接続されたケーブルを介して外部機器と接続されているときに、外部機器から送信されるインターフェースの切り換え指示に基づき、該第１と第２のインターフェースモードの切り換えを行なうように構成した。
【発明の効果】
【００１２】
これにより、目的に応じて複数の外部機器に接続可能な撮像装置においてを外部機器に接続するとき、ユーザーはインターフェースのモード設定に煩わされることなく、接続する外部機器のインターフェースに応じて使い勝手のよい操作が可能になる。また、２種類のインターフェースを単一のコネクタ、ケーブルを用いて接続し、動作状況に応じて２種類のインターフェースを切り換えるので小型化できる効果があり、また、インターフェースの切り換えを使用形態に応じて自動的に行なうのでユーザーは内部動作を意識することなく、簡単な操作によってインターフェースの切り換えが可能であり使い勝手がよい撮像装置を提供することができる。また、撮像装置が自動的に外部機器を判定して接続の切り替えを自動的に行なうので、高速に効率よくデータの転送や、ハイビジョン映像をモニタすることが可能となる。
【発明を実施するための最良の形態】
【００１３】
以下、図面を用いて、本発明の好適な実施例を説明する。
本発明の第１の実施形態について説明する。図１は、本発明による撮像装置の構成を示すブロック図である。１００は撮像素子、１０２はＡＤ変換回路、１０３は信号処理回路、１０８は制御回路、１０４は第１のインターフェース回路、１０５は第２のインターフェース回路、１０６、１０７は外部機器を接続するためのコネクタである。
また、１０８は制御回路、１０９はＳＤＲＡＭ（Synchronous Dynamic Random Access Memory）等のメモリである。表示部１１０は液晶ディスプレイ等の表示装置であり、撮影、記録された動画、静止画等の映像信号を表示や、操作メニューや記録データの情報を表示するものである。また、１１２は記録部であり、記録媒体１１３に動画、静止画、音声等のデータを記録する。記録媒体１１３は、撮像装置内に固定されたハードディスク等の記録媒体でも良いし、フラッシュメモリ等の半導体メモリを用いたメモリカードでも良い。また、ＤＶＤ（Digital Versatile Disc）等の光ディスクを用いてもよい。
撮像素子１００は、レンズ等の光学系（図１では省力）を経由して入力された光信号を電気信号に変換し、映像信号を生成する。この撮像装置は、動画撮像と静止画撮像が可能であり、動画モードではハイビジョン映像の撮像が可能である。また、静止画モードでは、例えば、５００万画素の静止画の撮像が可能である。ＡＤ変換回路１０２は、撮像素子１００が出力するアナログ信号をデジタル信号に変換する。なお、ＡＤ変換回路を素子に内蔵した撮像素子を用いてもよく、このような場合は、ＡＤ変換回路１０２は不要である。信号処理回路１０３は、デジタル化された映像信号に対し、補間処理、フィルタリング等の処理を行なう。また信号処理回路１０３は、通常、入力映像信号をＲＧＢの３原色信号に分離して信号処理を行ない、輝度信号と色差信号を生成する。さらに、生成した輝度信号と色信号を、動画モードではＭＰＥＧ、静止画モードではＪＰＥＧ等の符号化方式により信号処理回路１０３で生成された映像信号を圧縮する。こうして生成された圧縮画像信号はメモリ１０９に記録される。また信号処理回路１０３は、表示回路１１０に表示するモニタ用の映像信号と、記録用の映像信号に対して、各々異なる最適な処理を行なってもよい。これにより、それぞれの映像を表示する内部あるいは外部の表示装置の特性に合わせた映像信号を生成することができる。
第１のインターフェース回路１０４は、主として信号処理回路１０３で生成された圧縮前の映像信号を出力するためのインターフェース回路であり、例えばＨＤＭＩ(High Definition Multimedia Interface)規格に基づくものである。ＨＤＭＩインターフェースはデジタルハイビジョン映像信号をリアルタイムで外部機器に送出するのに適したインターフェースである。これにより、外部表示装置でハイビジョン映像をモニタしたり、記録したりすることができる。この信号は一般に高画質の非圧縮信号であるが、MPEG等の符号化を施した圧縮信号であってもよい。
また、第２のインターフェース回路１０５は、主として信号処理回路１０２で生成された圧縮映像信号やその他のデータを入出力するためのインターフェース回路であり、例えばＵＳＢ(Universal Serial Bus)規格に基づくものである。ＵＳＢインターフェースはデジタルデータの送受信に適したインターフェースである。例えば、パソコンや、その他、外部記録装置に動画や静止画等のデジタルデータを移動する際に用いることができる。
また、第１のインターフェース回路１０４には第１のコネクタ１０６が接続されており、接続ケーブルを介して外部機器と接続する。同様にして第２のインターフェース回路１０５には第１のコネクタ１０７が接続されており、接続ケーブルを介して外部機器と接続する。外部機器が接続されている状態において、制御回路１０８は、第１、または第２のインターフェース回路の一方が有効となるように制御する。
図２はこの撮像装置の概観の一例を示す図であり、A（同図左上）は正面図、B（同図右上）は背面図、C（同図左下）は側面図である。２０１（２０６）は記録ボタンであり、動画撮影開始や、静止画撮影の際に押下する。動画撮影の終了ボタンの機能を兼ねてもよい。２０３はレンズ、２０２（２０４）は光学ファインダである。また、２０５は液晶ディスプレイ等の表示部である。２０７はメニュー表示、表示消去のためのメニューボタンであり、このボタンを押下することにより、操作メニューを表示部２０５に表示できる。また、操作メニューを表示部２０５に表示した状態でメニューボタン２０７を押下することにより、操作メニューを表示しないようにすることができる。
また、２０８、２０９は操作ボタンである。２０８は後述するメニュー操作の際にメニュー項目を選択する際にメニュー項目の移動を行なうボタンであり、２０８は下側に移動する際のボタンである。同様に上下左右への選択項目の移動が可能である。（２０８以外の移動ボタンの番号は省略）
また、側面図Cにおいて２１０、２１１はそれぞれ第１、および第２の外部機器と接続するためのコネクタである。例えば、２１０はＵＳＢコネクタ、２１１はＨＤＭＩコネクタである。なお、後述する実施例のように、これら２種類のインターフェースを共通化した単一のコネクタを用いることも可能であり、その場合は単一のコネクタ（例えば２１０のみ）を用いる。
次にインターフェースの切り替え動作について説明する。撮像装置を外部機器に接続する場合、接続する機器に応じて次のような操作を行なう。先ずテレビに接続する場合について説明する。テレビに接続する目的は、この場合、撮影したハイビジョンの映像を、大画面のテレビで見たいときである。例えば、家族旅行で撮影した映像を家族全員で見るような場合である。このとき、ハイビジョン映像を撮像装置からテレビモニタにリアルタイムで送出するには、第１のインターフェスであるＨＤＭＩインターフェースを用いる。外部機器と撮像装置を接続したときの概観図を図６に示す。
撮像装置の操作部のメニューボタンを押すと表示部に図３に示す画面が表示される。このメニュー表示画面で、インターフェース切り替えの項目３０１を選択する。なお、選択の際は、前述の操作ボタン２０８等を用いる。この項目を選択すると、図４の画面が表示される。この画面では、インターフェース切り替え手動／自動のいずれかを選択できるようになっている。先ず、手動を選択した場合について説明する。手動切替え４０２を選択すると、図５の画面が表示される。この画面では、第１、第２いずれかのインターフェースを選択することができる。この例において、第１のインターフェースがＵＳＢであり、第２のインターフェースがＨＤＭＩである。
そこで、ユーザーはＵＳＢを選択したい場合にはＵＳＢを、ＨＤＭＩを選択したい場合にはＨＤＭＩを選択する。例えば、テレビモニタに撮影したハイビジョン映像を表示する場合にはＨＤＭＩを選択する。このとき、撮像装置において制御回路は切り替え回路にＨＤＭＩを選択するように制御信号を送信する。これによって、切り替え回路はＨＤＭＩを選択し、コネクタはＨＤＭＩインターフェース用に設定される。こうして、外部機器から撮像装置側のインターフェースを見たとき、ＨＤＭＩインターフェースとして動作することになる。
このように設定した後にこのケーブルを外部モニタに繋ぐと、通常のＨＤＭＩインターフェースが接続されている場合と全く同様の動作を行なうことになる。ＨＤＭＩインターフェースを用いて撮像装置と外部モニタ接続する場合は、高画質の動画映像を外部表示装置で用いる他、外部モニタのハードディスク等の記録装置に映像を自動的に記録し、監視装置として動作させることも可能である。
次にＵＳＢインターフェースとして利用する場合について説明する。ＵＳＢインターフェースによって接続する場合、外部機器から圧縮画像データを撮像装置側に転送する場合、逆に撮像装置に記録されたデータを外部機器に送出する場合が多い。このように外部機器と撮像装置との間でデータの送受信、コピー等を行なう場合にＵＳＢインターフェースを使用する場合が多い。
上記の場合、ＨＤＭＩインターフェースを使用する場合と同様にして、図４の画面がにおいてインターフェース切り替え手動／自動の設定のうちの手動を選択する。手動を選択すると、図５の画面が表示される。この画面では、第１、第２いずれかのインターフェースを選択することができる。そこで、ユーザーはＵＳＢを選択する。このようにしてＵＳＢを選択すると、制御回路は切り替え回路をＵＳＢ側に設定し、コネクタはＵＳＢコネクターとして動作する。このようにしてＵＳＢの設定を行なった後にパソコン等の外部機器に接続する。こうして撮像装置をＵＳＢ機器として使用することができる。このようにＵＳＢ接続して動作している場合、例えば図７に示すようにＵＳＢの表示の箇所が着色される等により、ユーザーがどのモードで動作しているか、わかるように表示する。また、この際の表示は、例えば図８に示すように、「ＵＳＢ」等のインターフェース名ではなく、「データ転送」等の機能内容を表示して、動作内容をユーザーにわかりやすいようにしてもよい。
次に、図４の画面において、ユーザーが自動切換えモードの設定を行なったときの動作について説明する。自動切換えモードの設定を行なった場合、以下のように動作する。
この場合、撮像装置の制御回路は先ず、切り替え回路をＵＳＢモードに設定する。このようにして接続した状態で、外部機器との接続を開始する。このとき、所定の通信プロトコルで通信が開始された場合にはＵＳＢ機器としてそのまま通信を開始する。
【００１４】
もし、一定時間が経過した後も外部機器がＵＳＢ機器として通信が確立されなかった場合は、制御回路が外部機器はＵＳＢ機器ではないと認識し、通信モードをＨＤＭＩに切り換える。そこで、同様にして通信を開始する。外部機器がＨＤＭＩのホストとして通信を開始し、通信が確立した場合はＨＤＭＩモードで動作する。このようにして、外部機器と撮像装置はＨＤＭＩモードでの通信が開始される。
【００１５】
上記の例では、撮像装置は当初、外部機器のインターフェースがＨＤＭＩかＵＳＢかわからないので、先ずＵＳＢモードでの接続を試みてＵＳＢの場合はインターフェースの設定をＵＳＢに切り換え、サイドＵＳＢモードでの接続を試みることにより、外部機器のインターフェースの種別を判定し、外部機器のインターフェースの種別に応じたインターフェースにより、自動的に接続設定が可能となる。
以上の説明では、外部機器の種別を判定するために、先ず一方のインターフェースモードで接続を試みた後に、通信が確立しなかった場合に他方のインターフェースに切り換えることによって正しいインターフェースの接続を行なうようにした。そのほかの接続方法として、先ず一方のインターフェースとして接続を開始するのではなく、先ず、接続機器の判定のための専用モードで立ち上がり、接続機器の確認を行なって、外部機器の判定を行なった後、判定結果に従って、ＵＳＢまたはＨＤＭＩモードに切り換えて通信を開始するという方法を採用しても良い。
以上説明したように、本実施例では、撮像装置において、インターフェース接続のためのモードとして、手動設定と、自動設定のいずれかのモードを選択することが可能である。このため、ユーザーが既に外部機器のインターフェースモードを知っているときには、手動モードで所定のインターフェース設定にしてから接続することにより、簡単に外部機器と接続することができる。
また、外部機器のインターフェースモードがわからない場合等、あるいは外部機器が複数のインターフェースモードに対応するような場合には、オートモードに設定することによって、外部機器との接続を容易に行なうことができ、使い勝手のよい撮像装置を提供することができる。
他の一実施例について説明する。先の実施例において、ユーザーが撮像装置のインターフェースモードを例えばＵＳＢモードに設定して、誤ってＨＤＭＩ機器に接続する場合が考えられる。そのような場合に、撮像装置に接続先の外部機器がＵＳＢ機器ではない旨の表示を表示画面に出力するものである。この場合の例を図９に示す。ユーザーはこの画面上の傾向メッセージを見ることによって、接続が間違っていることを認識し、再度、手動設定画面に戻って設定を切り換えることにより、正しいインターフェース設定にすることが可能となる。
次に、他の一実施形態について説明する。本実施例は、撮像装置、および外部機器がＨＤＭＩインターフェース、またはＵＳＢインターフェースのいずれのインターフェースに切り換えるえる場合に、コネクタ接続後にインターフェースモードを切り換えることができるようにしたものである。
この場合、ユーザー設定により予めオートモードに設定してあるものとする。この場合、先ずＵＳＢモードで動作しているものとする。撮像装置は、外部装置、例えばパソコンに接続されている。パソコンに撮像装置が接続されたとき、パソコンは撮像装置の電源ピンが接続されていることを検出し、外部デバイスが接続されたことを検出する。次に、パソコンは、外部機器のデバイスタイプの問い合わせを行い、通信を開始する。この一連の接続動作は、インターフェース規格に基づいて行なう。この際の外部機器の接続状態や、動作内容の画面表示例について、図１０に示す。
このようにして通信が確立すると、撮像素子の記録装置、外部のパソコンから認識できるようになる。例えば、撮像装置はUSBのマスストレージクラスに属するデバイスとして動作するものとする。
なお、以上説明した実施形態では、ユーザーが予め自動切換えモードに設定したものとした。これは、第１の実施例のように、図５に示したような表示画面によりユーザーがインターフェースモードを自動と手動に切り換えることができるものを前提としたものである。これに対し、撮像装置が手動、自動の切り替え機能を持っておらず、自動切換え動作のみを行なうようなものであってもよい。
本発明の第２の実施形態について説明する。図１１は本実施形態における撮像装置の構成を示すブロック図である。図１の実施形態との違いは、外部装置と接続するコネクタを共通化し、単一のコネクタ１１４を用いた点である。この際、選択回路１１５により、第１のインターフェース回路、第２のインターフェース回路をのいずれか一方を選択し、コネクタ１１４にはいずれかのインターフェースに対応する外部機器の接続が可能となる。この選択回路は制御回路１０８が制御するものである。なお、図１１に示す構成は一例であり、例えば、選択回路を削除し、第１、第２のインターフェース回路を共通化し、制御回路によって、機能的にそれぞれ第１、第２のインターフェース回路として機能するように切り替えて制御するようにしてもよい。この図１１の構成を用いる場合も、外部機器と接続するコネクタが共通化されている以外の動作は第１実施例に示した場合と同様である。
【００１６】
本発明は撮像装置に関し、特にハイビジョン撮像用の撮像素子を用いてハイビジョン映像を撮像し、ＨＤＤやＤＶＤに記録する撮像装置、デジタルカメラ、デジタルビデオカメラ等に適用できる。
【図面の簡単な説明】
【００１７】
【図１】撮像装置の構成を示したブロック図である。（実施例１）
【図２】撮像装置の概観を示した図である。（実施例１）
【図３】操作画面の表示を示した説明図である。（実施例１、２）
【図４】操作画面の表示を示した説明図である。（実施例１、２）
【図５】操作画面の表示を示した説明図である。（実施例１、２）
【図６】外部機器接続時の撮像装置の概観を示す図である。（実施例１、２）
【図７】操作画面の表示を示した説明図である。（実施例１、２）
【図８】操作画面の表示を示した説明図である。（実施例１、２）
【図９】操作画面の表示を示した説明図である。（実施例１、２）
【図１０】操作画面の表示を示した説明図である。（実施例１、２）
【図１１】撮像装置の構成を示したブロック図である。（実施例２）
【符号の説明】
【００１８】
１００    撮像素子
１０３    信号処理回路
１０４    第１のインターフェース回路
１０５    第２のインターフェース回路
１０８    制御回路
１１０    表示部
【図１】
2009094663.tif 000003
【図２】
2009094663.tif 000004
【図３】
2009094663.tif 000005
【図４】
2009094663.tif 000006
【図５】
2009094663.tif 000007
【図６】
2009094663.tif 000008
【図７】
2009094663.tif 000009
【図８】
2009094663.tif 000010
【図９】
2009094663.tif 000011
【図１０】
2009094663.tif 000012
【図１１】
2009094663.tif 000013